(57)【特許請求の範囲】
【請求項１】
三相一括による電流測定で三相の高圧電力ケーブルを流れる電流と相関する物理量を前記三相の高圧電力ケーブルの任意の区間の両端で測定し、当該測定された物理量のうち前記三相の高圧電力ケーブルを流れる零相電流と相関する成分を除き、当該除かれた後の物理量に基づいて前記三相の高圧電力ケーブルを流れる前記零相電流に重畳する高調波電流を求め、前記任意の区間の両端での前記高調波電流の差に基づいて前記三相の高圧電力ケーブルの劣化を診断することを特徴とする高圧電力ケーブルの劣化診断方法。
【請求項２】
三相の高圧電力ケーブルを流れる電流と相関する物理量を前記三相の高圧電力ケーブルの任意の区間の両端で検出する物理量検出手段と、前記物理量検出手段により検出された物理量のうち前記三相の高圧電力ケーブルを流れる零相電流と相関する成分を除く零相電流成分除去手段と、前記零相電流成分除去手段により前記三相の高圧電力ケーブルを流れる零相電流と相関する成分を除かれた物理量に基づいて前記三相の高圧電力ケーブルを流れる高調波電流を求める電流測定手段とを有し、前記任意の区間の両端での前記高調波電流の差に基づいて前記三相の高圧電力ケーブルの劣化を診断することを特徴とする高圧電力ケーブルの劣化診断用装置。
【請求項３】
前記物理量検出手段は、光源と、前記光源が発生する光を伝送し且つ前記三相の高圧電力ケーブルを流れる電流によってファラデー効果を発現する光伝送媒体とを有し、前記光伝送媒体は、前記三相の高圧電力ケーブルを流れる電流によって前記光伝送媒体を通る光の偏光面が回転するように配置され、前記零相電流成分除去手段は、補償用電流を発生する補償用電流発生手段と、前記補償用電流が流れる補償用導線とを有し、前記補償用導線は、前記光伝送媒体を通る光の偏光面の回転を、補償用電流によって前記三相の高圧電力ケーブルを流れる零相電流と相関する分だけ戻すように配置され、前記電流測定手段は、前記光伝送媒体を通る光の偏光面の回転角に基づいた電気信号を出力する手段を有することを特徴とする請求項２記載の高圧電力ケーブルの劣化診断用装置。
【請求項４】
前記物理量検出手段は、前記三相の高圧電力ケーブルを囲うように配置され尚且つ前記三相の高圧電力ケーブルを流れる電流によって発生する磁界を検出する物であり、前記零相電流成分除去手段は、補償用電流を発生する補償用電流発生手段と、前記補償用電流が流れる補償用導線とを有し、前記補償用導線は、前記三相の高圧電力ケーブルを流れる電流に起因して前記物理量検出手段で検出された磁界を、補償用電流によって前記三相の高圧電力ケーブルを流れる零相電流と相関する分だけ打ち消すように前記物理量検出手段に巻き回され、前記電流測定手段は、前記物理量検出手段で検出された磁界の大きさに基づいた電気信号を出力する手段を有することを特徴とする請求項２記載の高圧電力ケーブルの劣化診断用装置。
【請求項５】
前記補償用電流発生手段は、前記三相の高圧電力ケーブルを流れる電流と相関する物理量を検出して当該物理量に基づいた電気信号を出力する電気信号生成手段と、前記電気信号生成手段により得られた電気信号のうち目的とする周波数成分を抽出する手段と、前記電気信号生成手段により得られた電気信号の位相および振幅を調節する手段とを有することを特徴とする請求項３または４に記載の高圧電力ケーブルの劣化診断用装置。
【請求項６】
前記補償用電流発生手段は、前記電流測定手段において出力される電気信号を取得する電気信号取得手段と、前記電気信号取得手段により得られた電気信号のうち目的とする周波数成分を抽出する手段と、前記電気信号取得手段により得られた電気信号の位相および振幅を調節する手段とを有することを特徴とする請求項３または４に記載の高圧電力ケーブルの劣化診断用装置。
【請求項７】
前記電流測定手段により前記三相の高圧電力ケーブルを流れる３倍高調波電流を求めるようにしたことを特徴とする請求項２から６のいずれかに記載の高圧電力ケーブルの劣化診断用装置。
【発明の詳細な説明】
【技術分野】
【０００１】
本発明は、高圧電力ケーブルの劣化診断方法及び劣化診断用装置に関する。さらに詳述すると、本発明は、水トリー等の高圧電力ケーブルの劣化に起因する微弱な高調波電流を検出して高圧電力ケーブルの劣化状態を診断する方法及び装置に関する。
【背景技術】
【０００２】
高電圧の高圧電力ケーブル線路においては、布設および保守管理の容易等から架橋ポリエチレン絶縁高圧電力ケーブル（以下、ＣＶケーブルという）が主に使用されているが、このＣＶケーブルには、水トリーによる絶縁劣化の問題がある。水トリーとは、ＣＶケーブルを水に浸した状態にしておくと、その水が、電界の影響を受けて、樹木が成長するような形で、そのケーブルの絶縁物内部に進展し、絶縁破壊を起こす現象である。この絶縁劣化現象は、ケーブル線路を保守管理する上で重要な診断事項となる。
【０００３】
水トリー劣化したＣＶケーブルに電圧を印加すると、高調波電流、特に３倍高調波電流（３次高調波電流）が流れることが知られている。そこで、従来技術では、ＣＶケーブルを電力系統から切り離したオフラインの状態で、当該ＣＶケーブルに電圧を印加して、３倍高調波電流成分の有無を調べて、当該ＣＶケーブルが水トリー劣化しているかどうかを診断している。
また、活線の状態で水トリー劣化を診断可能とする手法として、ファラデー効果を発現する光ファイバーを用いて、高圧電力ケーブルを流れる負荷電流（１００Ａ〜３００Ａ）とそれを基本電流とする高調波とに相関する物理量を得て、それが電気信号に変換される前に、電力ケーブルの劣化診断に不必要な負荷電流に基づく成分をキャンセルすることにより、基本波電流たる負荷電流よりも極めて微弱な高調波電流（３００Ａの負荷電流に対して６００μＡ程度）に基づく電気信号のみを５桁程度のダイナクックレンジで得ることができるようにしたものが提案されている（特許文献１）。
【０００４】
【特許文献１】特開２００４−８５４７９
【発明の開示】
【発明が解決しようとする課題】
【０００５】
しかしながら、従来のＣＶケーブルの水トリー劣化診断は、ＣＶケーブルを電力系統から切り離したオフラインの状態で行われており、稼動状態（即ちオンライン）にあるＣＶケーブルの水トリー劣化診断は、実現されていない。これは、負荷電流と比較して、高調波電流が極めて微小であることが原因と考えられる。例えば３００Ａの負荷電流に含まれ得る３倍高調波電流は６００μＡ程度である。そうすると、３倍高調波電流を検出する電流センサには、６桁のダイナミックレンジが求められるが、従来の電流センサを用いて６桁のダイナミックレンジを実現することは困難である。従って、微小な高調波電流を測定するために、単純に電流センサの感度を高めると、高調波電流と比較して極めて大きい負荷電流の値によって電流センサが飽和（オーバフロー、サチレーション）してしまう。
また、特許文献１の診断方法においても、負荷電流とそれを基本波とする高調波を検出対象とするため、診断が実現可能な５桁程度のダイナクックレンジが必要とされる程度には改善されたが、未だ十分なものとはいえず、さらなる改良が求められる。
【０００６】
そこで本発明は、稼動状態にある高圧電力ケーブル（活線）に対しても、水トリー等の高圧電力ケーブルの劣化に起因する微弱な高調波電流を検出できる劣化診断方法及び劣化診断用装置を提供することを目的とする。
【課題を解決するための手段】
【０００７】
かかる目的を達成するため、請求項１記載の高圧電力ケーブルの劣化診断方法は、三相一括による電流測定で三相の高圧電力ケーブルを流れる電流と相関する物理量を三相の高圧電力ケーブルの任意の区間の両端で測定し、当該測定された物理量のうち三相の高圧電力ケーブルを流れる零相電流と相関する成分を除き、当該除かれた後の物理量に基づいて三相の高圧電力ケーブルを流れる零相電流に重畳する高調波電流を求め、任意の区間の両端での高調波電流の差に基づいて三相の高圧電力ケーブルの劣化を診断するようにしている。
【０００８】
また、請求項２記載の高圧電力ケーブルの劣化診断用装置は、三相の高圧電力ケーブルを流れる電流と相関する物理量を三相の高圧電力ケーブルの任意の区間の両端で検出する物理量検出手段と、物理量検出手段により検出された物理量のうち三相の高圧電力ケーブルを流れる零相電流と相関する成分を除く零相電流成分除去手段と、零相電流成分除去手段により三相の高圧電力ケーブルを流れる電流の零相電流と相関する成分を除かれた物理量に基づいて三相の高圧電力ケーブルを流れる高調波電流を求める電流測定手段とを有し、任意の区間の両端での高調波電流の差に基づいて三相の高圧電力ケーブルの劣化を診断するようにしている。
【０００９】
三相の高圧電力ケーブルの各線にはそれぞれ大容量の負荷電流が流れているが、各線間の負荷電流の間には各々１２０°の位相差があるため、三相一括で電流測定すると互いに相殺しあう。理想的には電流は０となるが、現実には振幅・位相差に若干のずれが生ずるため、僅かな零相電流が流れる。この零相電流は、各線を流れる負荷電流に比べて遙かに小さく、例えば０．１Ａ〜１０Ａ程度である。そこで、三相一括による電流測定で高圧電力ケーブルに流れる電流（零相電流とこれに重畳する高調波電流）に相関する物理量を測定してから、この物理量を電気信号に変換する前に、高圧電力ケーブルの劣化診断に不必要な零相電流に基づく成分をキャンセルする。これにより、零相電流と比較して極めて微弱な高調波電流に基づく電気信号のみを得ることができる。
【００１０】
また、請求項３記載の発明は、請求項２記載の高圧電力ケーブルの劣化診断用装置において、物理量検出手段は、光源と、光源が発生する光を伝送し且つ三相の高圧電力ケーブルを流れる電流によってファラデー効果を発現する光伝送媒体とを有し、光伝送媒体は、三相の高圧電力ケーブルを流れる電流によって光伝送媒体を通る光の偏光面が回転するように配置され、零相電流成分除去手段は、補償用電流を発生する補償用電流発生手段と、補償用電流が流れる補償用導線とを有し、補償用導線は、光伝送媒体を通る光の偏光面の回転を、補償用電流によって三相の高圧電力ケーブルを流れる零相電流と相関する分だけ戻すように配置され、電流測定手段は、光伝送媒体を通る光の偏光面の回転角に基づいた電気信号を出力する手段を有するようにしている。
【００１１】
したがって、光源から照射され光伝送媒体内を通過する光の偏光面は、高調波電流が重畳された零相電流の影響を受けてファラデー効果により回転するが、補償用電流が補償用導線を流れることにより、零相電流に相当する分だけ逆回転する。したがって、電流測定手段に入力される光の偏光面の回転角は、零相電流に相関する分はキャンセルされ、高調波電流に相関するもののみとなる。これにより、零相電流と比較して極めて微弱な高調波電流に基づく電気信号のみを得ることができる。
【００１２】
また、請求項４記載の発明は、請求項２記載の高圧電力ケーブルの劣化診断用装置において、物理量検出手段は、三相の高圧電力ケーブルを囲うように配置され尚且つ三相の高圧電力ケーブルを流れる電流によって発生する磁界を検出するものであり、零相電流成分除去手段は、補償用電流を発生する補償用電流発生手段と、補償用電流が流れる補償用導線とを有し、補償用導線は、三相の高圧電力ケーブルを流れる電流に起因して物理量検出手段で検出された磁界を、補償用電流によって三相の高圧電力ケーブルを流れる零相電流と相関する分だけ打ち消すように物理量検出手段に巻き回され、電流測定手段は、物理量検出手段で検出された磁界の大きさに基づいた電気信号を出力する手段を有するようにしている。
【００１３】
この場合、高圧電力ケーブルを流れる高調波電流が重畳された零相電流の影響を受けて発生する磁界が、物理量検出手段により検出される。一方、補償用電流が補償用導線を流れることによって、高圧電力ケーブルを流れる電流に起因して物理量検出手段で検出された磁界のうち、高圧電力ケーブルを流れる零相電流と相関する分だけがキャンセルされる。したがって、電流測定手段では、高圧電力ケーブルを流れる高調波電流のみに起因して生じた磁界に応じた電気信号が出力される。これにより、零相電流と比較して極めて微弱な高調波電流に基づく電気信号のみを得ることができる。
【００１４】
また、請求項５記載の発明は、請求項３または４に記載の高圧電力ケーブルの劣化診断用装置において、補償用電流発生手段は、三相の高圧電力ケーブルを流れる電流と相関する物理量を検出して当該物理量に基づいた電気信号を出力する電気信号生成手段と、電気信号生成手段により得られた電気信号のうち目的とする周波数成分を抽出する手段と、電気信号生成手段により得られた電気信号の位相および振幅を調節する手段とを有するものとしている。したがって、電気信号生成手段では、三相の高圧電力ケーブルを流れる電流に対応した電気信号を出力する。この電気信号は、目的とする周波数成分を抽出され、位相が適正化され、振幅（ゲイン）が適正化されて、補償用電流として調整される。
【００１５】
また、請求項６記載の発明は、請求項３または４に記載の高圧電力ケーブルの劣化診断用装置において、補償用電流発生手段は、電流測定手段において出力される電気信号を取得する電気信号取得手段と、電気信号取得手段により得られた電気信号のうち目的とする周波数成分を抽出する手段と、電気信号取得手段により得られた電気信号の位相および振幅を調節する手段とを有するものとしている。この場合、電流測定手段が出力する電気信号を利用して補償用電流を生成し、ネガティブフィードバックをかける構成となる。
【００１６】
また、請求項７記載の発明は、請求項２から６のいずれかに記載の高圧電力ケーブルの劣化診断用装置において、電流測定手段により三相の高圧電力ケーブルを流れる３倍高調波電流を求めるようにしている。したがって、例えば、三相の高圧電力ケーブルの任意の区間ごと（例えば高圧電力ケーブルの接続部ごと）に、３倍高調波電流を測定し、区間の両端で測定された３倍高調波電流の差をとって、当該差の大きさに基づいて、当該区間において高圧電力ケーブルが水トリー劣化しているか否か診断できる。
【発明の効果】
【００１７】
本発明の高圧電力ケーブルの劣化診断方法および装置によれば、三相の高圧電力ケーブルの各線を流れる負荷電流に比べて２桁ほど小さな零相電流をとし、しかもそれに重畳した微弱な高調波電流に基づく物理量のみを電気信号に変換して得ることができので、微弱な高調波電流に基づく電気信号を高感度で検出することができる。即ち、バックグラウンドとして大きな負荷電流が流れていても、検出対象となるのは負荷電流に比べて２桁ほど小さな零相電流とそれに重畳した微弱な高調波電流に相関する物理量であるため、４桁程度のダイナミックレンジの測定器により微弱な高調波電流を高感度で検出することが可能となる。しかも、高調波電流を検出するために、高圧電力ケーブルを電力系統から切り離す必要が無く、活線状態（即ちオンライン）にある高圧電力ケーブルの劣化診断が可能となる。このため、実用化するに十分に現実的なダイナミックレンジのオーダーとなり、高圧電力ケーブルの水トリーを活線状態で診断可能となった。そこで、例えば、地中に布設してしまう高圧電力ケーブルを、オンラインで常時または定期監視することも可能となる。
さらに、三相一括で測定するので、３本を捩って１本の高圧電力ケーブルとしている場合には、その束のまま測定できるため、線を１本１本分離する手間が省け、測定が楽になる。ここで、３本まとめた状態で三相一括で測定することから、そのうちのどれに水トリーがあるのか判別できるかどうかという点が不明となるが、これは発生位相に注目することで容易に判別できる。
【００１８】
さらに、請求項３記載の高圧電力ケーブルの劣化診断用装置によれば、鉄心等を用いた電流センサと比較して空間占有率を低減できる効果がある。また、光伝送媒体として常磁性体である光ファイバを採用することで、ファラデー回転（ファラデー効果による光の偏光面の回転）自体が飽和することがないので、検出感度を上げても、飽和（オーバフロー、サチレーション）の問題は生じない。
【００１９】
また、請求項４記載の高圧電力ケーブルの劣化診断用装置によれば、鉄心等を用いて安価に劣化診断用装置を構成できる。
【００２０】
さらに、請求項５記載の高圧電力ケーブルの劣化診断用装置によれば、フィードバックを構成しないため、信号処理に遅延を生じることなく、リアルタイムに近い処理が可能になる。
【００２１】
さらに、請求項６記載の高圧電力ケーブルの劣化診断用装置によれば、電流測定手段が出力する電気信号を利用して補償用電流を生成するので、電気信号生成手段を別途設ける必要がなく、コストや施工上で有利である。
【００２２】
さらに、請求項７記載の高圧電力ケーブルの劣化診断用装置によれば、３倍高調波電流の有無を調べることにより、高圧電力ケーブルの水トリー劣化の診断を行うことができる。
【発明を実施するための最良の形態】
【００２３】
以下、本発明の構成を図面に示す実施形態に基づいて詳細に説明する。
【００２４】
図１に本発明の高圧電力ケーブルの劣化診断方法及び高圧電力ケーブルの劣化診断用装置の実施の一形態を示す。本発明の高圧電力ケーブルの劣化を診断する方法では、三相の高圧電力ケーブル１を流れる電流（零相電流とそれに重畳する高調波電流）と相関する物理量を三相一括による電流測定で得て、その物理量のうち高圧電力ケーブル１を流れる零相電流と相関する成分を除き、当該除かれた後の物理量に基づいて高圧電力ケーブル１を流れる高調波電流を求め、当該高調波電流の大きさに基づいて高圧電力ケーブル１の劣化を診断するようにしている。
【００２５】
上記方法は、高圧電力ケーブル１の劣化診断用装置として装置化される。この高圧電力ケーブル１の劣化診断用装置は、三相一括による電流測定の際に高圧電力ケーブル１を流れる零相電流とそれに重畳する高調波電流と相関する物理量を検出する物理量検出手段２と、物理量検出手段２により検出された物理量のうち高圧電力ケーブル１を流れる零相電流と相関する成分を除く零相電流成分除去手段３と、零相電流成分除去手段３により高圧電力ケーブル１を流れる電流のうちの零相電流と相関する成分を除かれた物理量に基づいて高圧電力ケーブル１を流れる高調波電流を求める電流測定手段４とを有して構成される。
【００２６】
水トリー劣化したＣＶケーブルには、高調波、中でも３倍高調波電流が流れることが知られている。従って、例えば、ＣＶケーブルの任意の区間ごと（例えばＣＶケーブルの接続部ごと）に、３倍高調波電流を測定し、区間の両端で測定された３倍高調波電流の差をとって、当該差がゼロでなければ、或いは当該差の絶対値が一定値以上であれば、当該区間においてＣＶケーブルが水トリー劣化していると考えられる。本実施形態では、対象となる高圧電力ケーブルをＣＶケーブル１とし、対象となる劣化態様を水トリーとして、本発明をＣＶケーブル１の水トリー劣化診断方法及びＣＶケーブル１の水トリー劣化診断用装置として具現化する例について説明する。本実施形態では、電流測定手段４によりＣＶケーブル１を流れる３倍高調波電流を求めるようにしている。例えば本実施形態において、ＣＶケーブル１の各線を流れる負荷電流の周波数は５０Ｈｚとした場合、三相一括による電流測定で検出される零相電流の周波数も５０Ｈｚであり、３倍高調波電流とは１５０Ｈｚの周波数成分のみを有する電流成分のことを指す。
【００２７】
本実施形態における物理量検出手段２は、光源５と、その光源５が発生する光を伝送し且つ高圧電力ケーブル１を流れる零相電流とそれに重畳する高調波電流によってファラデー効果を発現する光伝送媒体６とを有するものとしている。光源５は、特に限定されるものではなく、例えば半導体レーザなどの周知の光源を採用して良い。光伝送媒体６は、例えば光ファイバである。光伝送媒体６としての光ファイバは、高圧電力ケーブル１を流れる零相電流とそれに重畳する高調波電流によって光伝送媒体６を通る光の偏光面が回転するように、高圧電力ケーブル１に巻き付けるように配置される。光伝送媒体６としての光ファイバを高圧電力ケーブル１（三相一括）に巻き付けることにより、周回積分したことになり、高圧電力ケーブル１を流れる零相電流とそれに重畳する高調波電流に応じた信号を検出することができる。例えば本実施形態では、電流測定手段４の感度を高めるために、光伝送媒体６としての光ファイバを高圧電力ケーブル１の周囲に複数回巻き回すようにしている。
【００２８】
本実施形態における零相電流成分除去手段３は、補償用電流を発生する補償用電流発生手段７と、補償用電流が流れる補償用導線８とを有するものとしている。補償用導線８は、光伝送媒体６を通る光の偏光面の回転を、補償用電流によって高圧電力ケーブル１を流れる零相電流と相関する分だけ戻すように、光伝送媒体６と直交するように配置される。ここで、本実施形態では、補償用電流を小さく抑える等のために、光伝送媒体６を補償用導線８の周囲に複数回巻き回すようにしている。尚、光伝送媒体６を補償用導線８の周囲に複数回巻き回すと共に、補償用導線８を更に光伝送媒体６に複数回巻き回すようにしても良い。また、光伝送媒体６を補償用導線８の周囲に巻き回さずに、補償用導線８を光伝送媒体６に複数回巻き回すようにしても良い。
【００２９】
光伝送媒体６を高圧電力ケーブル１の周囲に巻き回す巻数、光伝送媒体６を補償用導線８の周囲に巻き回す巻数、補償用導線８を光伝送媒体６に巻き回す巻数、補償用電流の大きさは、高圧電力ケーブル１を流れる電流に起因する光伝送媒体６を通る光の偏光面の回転を、補償用電流によって、高圧電力ケーブル１を流れる零相電流と相関する分だけ戻すことができるように調整される。例えば、光伝送媒体６を高圧電力ケーブル１の周囲に巻き回す巻数ｎ１と、光伝送媒体６を補償用導線８の周囲に巻き回す巻数ｎ２と、補償用導線８を光伝送媒体６に巻き回す巻数ｎ３と、高圧電力ケーブル１を流れる零相電流の大きさＩ１と、補償用電流の大きさＩ２との関係は、次式が成立するように設定される。
【００３０】
＜数１＞
Ｉ１×ｎ１＝Ｉ２×ｎ２×ｎ３
【００３１】
また、光伝送媒体６を補償用導線８の周囲に巻き回す方向、補償用導線８を光伝送媒体６の周囲に巻き回す方向、補償用電流の方向は、高圧電力ケーブル１を流れる電流に起因する光伝送媒体６を通る光の偏光面の回転を、補償用電流によって、高圧電力ケーブル１を流れる零相電流と相関する分だけ戻すように、設定される。
【００３２】
光伝送媒体６における光の進行方向の端は、電流測定手段４に接続される。この電流測定手段４は、光伝送媒体６を通る光の偏光面の回転角を検出し、当該回転角に基づいて電気信号を出力する光検出器９を有している。尚、この光検出器９には、ファラデー効果を利用した周知の電流計に用いられ、偏光ビームスプリッタ、偏光子、フォトダイオード等を備えるＯ／Ｅ（光・電気）変換回路など有して構成される周知の装置を採用して良い。また、本実施形態の電流測定手段４は、光検出器９より出力された電気信号を増幅する増幅器１０と、光検出器９より出力された電気信号のうち目的とする周波数成分を抽出する手段１１と、電気信号をデジタル化して記憶する記憶装置１２とを更に有するようにしている。増幅器には、例えば周知のアンプ１０を採用して良い。光検出器９より出力された電気信号のうち目的とする周波数成分を抽出する手段には、例えば本実施形態では、３倍高調波成分である１５０Ｈｚを中心とする狭帯域のバンドパスフィルタ１１を用いている。また、記憶装置１２は、例えば図示しないが、周知のＡ−Ｄ変換器と、周知の書換可能なメモリとで構成される。
【００３３】
また、本実施形態における補償用電流発生手段７は、高圧電力ケーブル１を流れる零相電流と相関する物理量を検出して当該物理量に基づいた電気信号を出力する電気信号生成手段１３と、電気信号生成手段１３により得られた電気信号のうち目的とする周波数成分を抽出する手段１４と、電気信号生成手段１３により得られた電気信号の位相および振幅を調節する手段１５，１６とを有するようにしている。
【００３４】
電気信号生成手段１３は、高圧電力ケーブル１を切断等することなく、稼動状態即ちオンラインの状態にある高圧電力ケーブル１を流れる零相電流に応じた電気信号を得ることができる手段である。この電気信号生成手段１３の構成は、特に限定されるものではない。例えば、図示を省略するが、光源と、この光源が発生する光を伝送し且つ高圧電力ケーブル１を流れる零相電流によってファラデー効果を発現する光ファイバと、この光ファイバを通る光の偏光面の回転角に基づいて電気信号を出力する光検出器とを備えた周知のファイバ形電流計を、電気信号生成手段１３として利用できる。また、図示を省略するが、高圧電力ケーブル１を囲うように配置されると共に開閉可能に構成される環状鉄心に、コイルを巻いて、当該コイルから電磁誘導に起因する電気信号を得る周知の鉄心型ＣＴまたはクランプ電流計を、電気信号生成手段１３として利用できる。さらに、図示を省略するが、高圧電力ケーブル１を囲うように配置されると共にギャップ（隙間）部が設けられている環状鉄心と、環状鉄心のギャップ部に配置されて環状鉄心内の磁束を測定するホール素子と、環状鉄心に巻き回されるコイルとを有し、環状鉄心中内に磁束が生じないように環状鉄心に巻き回されたコイルに流れる電流を調整する周知のクリップオン電流計を、電気信号生成手段１３として利用できる。さらに、図示を省略するが、高圧電力ケーブル１を囲うように配置されると共にギャップ（隙間）部が設けられている環状鉄心と、環状鉄心のギャップ部に配置されて当該ギャップ部における磁界の強さに応じた光量の光信号を出力する光ＣＴセンサと、この光信号を電気信号に変換するＯ／Ｅ（光・電気）変換回路等を有する周知のギャップ付鉄心形光ＣＴ（光電流変成器）を、電気信号生成手段１３として利用できる。例えば本実施形態では、鉄心型ＣＴを電気信号生成手段１３として用いている。
【００３５】
電気信号生成手段１３により得られた電気信号のうち目的とする周波数成分を抽出する手段として、例えば本実施形態では、３倍高調波（本実施形態においては１５０Ｈｚ）よりも下の周波数を通過させるローパスフィルタ１４を用いている。これにより、零相電流成分（本実施形態においては５０Ｈｚ周波数成分）の電気信号を得るようにしている。但し、ローパスフィルタ１４を用いるものに限定されず、零相電流成分の電気信号を得るために、既知または新規のフィルタを単独でまたは組み合わせて用いても良い。また、電気信号生成手段１３により得られた電気信号の位相を調節する手段として、例えば本実施形態では、フェーズシフタ１５を用いている。また、電気信号生成手段１３により得られた電気信号の振幅（ゲイン）を調節する手段として、周知の増幅器（アンプ）１６を用いている。本実施形態における補償用導線８は、補償用電流が流れる閉回路を構成するようにアンプ１６に電気的に接続される。
【００３６】
以上のように構成される高圧電力ケーブル１の劣化診断用装置によれば、次のようにして、高圧電力ケーブル１を流れる３倍高調波電流を検出することができる。ここで、高圧電力ケーブル１を流れる電流には、零相電流に３倍高調波電流が重畳されているとする。
【００３７】
即ち、光源５から照射され光伝送媒体６内を通過する光の偏光面は、光伝送媒体６が高圧電力ケーブル１に巻き回されたコイル部１７において、高圧電力ケーブル１を流れる零相電流とそれに重畳する３倍高調波電流の影響を受けてファラデー効果により回転する。
【００３８】
一方、電気信号生成手段１３では、高圧電力ケーブル１を流れる零相電流とそれに重畳する３倍高調波電流に対応した電気信号を出力する。この電気信号は、ローパスフィルタ１４を通過することにより、３倍高調波以上の成分が除去される。更に、この電気信号は、フェーズシフタ１５により位相が適正化され、アンプ１６により振幅（ゲイン）も適正化され、これにより補償用電流が生成される。そして、この補償用電流は補償用導線８を流れる。
【００３９】
光伝送媒体６が補償用導線８に巻き回されたコイル部１８において、高圧電力ケーブル１を流れる零相電流とそれに重畳する３倍高調波電流の影響を受けて回転した光の偏光面が、零相電流に相当する分だけ逆回転する。したがって、光検出器９に入力される光の偏光面の回転角は、零相電流に相関する分はキャンセルされ、３倍高調波電流に相関するもののみとなる。光検出器９では、高圧電力ケーブル１を流れる３倍高調波電流に起因する光の偏光面の回転角が電気信号に変換される。光検出器９より出力される電気信号は、必要な検出感度を実現するために増幅器１０で増幅され、バンドパスフィルタ１１により３倍高調波成分以外の電気信号が除去され、デジタル化されて記憶装置１２に記憶される。従って、記憶装置１２に記憶された情報に基づいて、３倍高調波電流の有無を調べ、ＣＶケーブル１が水トリー劣化しているかどうかを診断することができる。
【００４０】
本実施形態の高圧電力ケーブル１の劣化診断方法及び高圧電力ケーブル１の劣化診断用装置によれば、高圧電力ケーブル１を流れる零相電流とそれに重畳する高調波電流とに相関する検出された物理量（本実施形態では光信号）について、電気信号に変換する前に、高圧電力ケーブル１の劣化診断に不必要な零相電流に基づく成分をキャンセルしている。従って、零相電流と比較しても微弱な高調波電流に基づく電気信号のみを得ることができ、微弱な高調波電流に基づく電気信号を高感度で検出することができる。また、光伝送媒体６として常磁性体である光ファイバを採用することで、ファラデー回転（ファラデー効果による光の偏光面の回転）自体が飽和することがないので、光伝送媒体６としての光ファイバを高圧電力ケーブル１に巻き回す回数を多くして検出感度を上げても、飽和（オーバフロー、サチレーション）の問題は生じない。即ち、バックグラウンドに大きな負荷電流が存在していても、微弱な高調波電流を高感度で検出することが可能となる。しかも、本発明の構成によれば、高調波電流を検出するために、高圧電力ケーブル１を電力系統から切り離す等の必要は無い。従って、稼動状態（即ちオンライン）にあるＣＶケーブル１の水トリー劣化診断が可能となる。例えば、地中に布設してしまうＣＶケーブル１を、オンラインで常時または定期監視することも可能となる。尚、三相一括で測定するので、３本を捩って１本の高圧電力ケーブルとしている場合（トリプレックスと呼ばれる）には、その束のまま測定できる。勿論、３本を捩っていない高圧電力ケーブルでもそのまま適用できることはいうまでもない。ここで、３本まとめた状態で三相一括で測定することから、そのうちのどれに水トリーがあるのか判別できるかどうかという点が不明となるが、これは発生位相に注目することで容易に判別できる。即ち、さらに、三相一括で測定するので、３本を捩って１本の高圧電力ケーブルとしている場合には、その束のまま測定できるため、線を１本１本分離する手間が省け、測定が楽になる。ここで、３本まとめた状態で三相一括で測定することから、そのうちのどれに水トリーがあるのか判別できるかどうかという点が不明となるが、これは発生位相に注目することで容易に判別できる。例えば、三倍高調波信号は劣化している高圧送電ケーブルの電圧と同位相で発生するため、検出された三倍高調波と各相の電圧を比較し、発生位相のそろっている相が水トリー劣化しているものと判別できる。より、具体的には、生波形が参照可能な場合はオシロスコープ上で見比べて発生位相を比較することにより判別できる。また、信号が微小でロックインアンプを使わざるを得ない場合には、どれか一相の電圧を参照信号としてロックインアンプに入れ（内部で３倍にし）、第三次高調波にロックインをかけると、参照信号との位相差が測定される。それが一致しているか、＋１２０度か、−１２０度かで容易に判別できる。
【００４１】
次に、図２を用いて、本発明の第２の実施形態について説明する。尚、図２中で、既に説明した実施形態と同一の構成要素については、同一の符号を付し、詳細な説明を省略する。
【００４２】
本実施形態における物理量検出手段は、高圧電力ケーブル１を囲うように配置され尚且つ高圧電力ケーブル１を流れる電流によって発生する磁界を検出する物であり、例えば鉄心２’である。この鉄心２’は、例えば閉路を成す環状であり、開閉不能であっても良いが、高圧電力ケーブル１への取り付けが簡単であるように開閉可能であるものが好ましい。また、本実施形態における電流測定手段４は、物理量検出手段としての鉄心２’に生じた磁界の大きさに基づいた電気信号を出力する手段であり、例えば鉄心２’に巻回されたコイル２３を有している。但し、物理量検出手段および電流測定手段４の構成は、本実施形態の例に限定されるものではない。例えば、図示しないが、物理量検出手段を、高圧電力ケーブル１を囲うように配置されると共にギャップ（隙間）部が設けられている環状鉄心とし、電流測定手段４を、環状鉄心のギャップ部に配置されて当該ギャップ部における磁界の強さに応じた光量の光信号を出力する光ＣＴセンサと、光ＣＴセンサが出力する光信号を電気信号に変換するＯ／Ｅ（光・電気）変換回路とを有するものとしても良い。また、本実施形態の電流測定手段４は、上述の実施形態と同様に、コイル２３より出力された電気信号を増幅する増幅器１０と、コイル２３により出力された電気信号のうち目的とする周波数成分を抽出する手段（例えばバンドパスフィルタ）１１と、電気信号をデジタル化して記憶する記憶装置１２とを有するようにしている。
【００４３】
零相電流成分除去手段３は、補償用電流を発生する補償用電流発生手段７と、補償用電流が流れる補償用導線８’とを有している。この補償用導線８’は、高圧電力ケーブル１を流れる電流に起因して鉄心２’で検出された磁界を、補償用電流によって高圧電力ケーブル１を流れる零相電流と相関する分だけ打ち消すように鉄心２’に巻き回されている。本実施形態では、補償用電流を小さく抑える等のために、補償用導線８’を鉄心２’に複数回巻き回すようにしている。
【００４４】
補償用導線８’を鉄心２’に巻き回す巻数、補償用電流の大きさは、高圧電力ケーブル１を流れる電流に起因して鉄心２’で検出された磁界を、補償用電流によって高圧電力ケーブル１を流れる零相電流と相関する分だけ打ち消すように、調整される。例えば、補償用導線８’を鉄心２’に巻き回す巻数Ｎ２と、補償用電流の大きさＩ２と、高圧電力ケーブル１を流れる零相電流の大きさＩ１との関係は、次式が成立するように設定される。
【００４５】
＜数２＞
Ｉ１＝Ｉ２×Ｎ２
【００４６】
補償用電流発生手段７は、例えば、高圧電力ケーブル１を流れる電流と相関する物理量を検出して当該物理量に基づいた電気信号を出力する電気信号生成手段１３と、電気信号生成手段１３により得られた電気信号のうち目的とする周波数成分を抽出する手段（例えばローパスフィルタ）１４と、電気信号生成手段１３により得られた電気信号の位相および振幅を調節する手段（例えばフェーズシフタとアンプ）１５，１６とを有する上述の実施形態と同様の構成のものである。
【００４７】
以上のように構成される高圧電力ケーブル１の劣化診断用装置によれば、次のようにして、高圧電力ケーブル１を流れる高調波電流、特に３倍高調波電流を検出することができる。ここで、高圧電力ケーブル１を流れる零相電流には３倍高調波電流が重畳されている。即ち、高圧電力ケーブル１を流れる零相電流とそれに重畳する３倍高調波電流の影響を受けて高圧電力ケーブル１の周囲に磁界が発生し、鉄心２’により当該磁界が検出（ピックアップ）される。一方、補償用電流発生手段７により補償用電流が生成され、この補償用電流が補償用導線８’を流れる。補償用電流が補償用導線８’を流れることによって、高圧電力ケーブル１を流れる零相電流とそれに重畳する高調波電流に起因して鉄心２’で検出された磁界のうち、高圧電力ケーブル１を流れる零相電流と相関する分だけがキャンセルされる。したがって、コイル２３では、高圧電力ケーブル１を流れる３倍高調波電流に起因して生じた磁界に応じた電気信号が出力される。この電気信号は、必要な検出感度を実現するために増幅器１０で増幅され、バンドパスフィルタ１１により３倍高調波成分以外の電気信号が除去され、デジタル化されて記憶装置１２に記憶される。従って、記憶装置１２に記憶された情報に基づいて、３倍高調波電流の有無を調べて、ＣＶケーブル１が水トリー劣化しているかどうかを診断することができる。
【００４８】
本実施形態の高圧電力ケーブル１の劣化診断方法及び高圧電力ケーブル１の劣化診断用装置によれば、高圧電力ケーブル１を流れる零相電流とそれに重畳する高調波電流と相関する検出された物理量（本実施形態では磁気信号）について、電気信号に変換する前に、高圧電力ケーブル１の劣化診断に不必要な零相電流に基づく成分をキャンセルしている。従って、零相電流と比較して極めて微弱な高調波電流に基づく電気信号のみを得ることができ、微弱な高調波電流に基づく電気信号を高感度で検出することができる。磁気信号を電気信号に変換する前に、磁気信号の零相電流成分をキャンセルしているので、コイル２３の巻数を多くしても、飽和（オーバフロー、サチレーション）の問題は生じない。即ち、バックグラウンドに大きな零相電流が存在していても、微弱な高調波電流を高感度で検出することが可能となる。しかも、本発明の構成によれば、高調波電流を検出するために、高圧電力ケーブル１を電力系統から切り離す等の必要は無い。従って、稼動状態（即ちオンライン）にあるＣＶケーブル１の水トリー劣化診断も可能となる。例えば、地中に布設してしまうＣＶケーブル１を、オンラインで常時または定期監視することも可能となる。
【００４９】
次に、図３を用いて、本発明の第３の実施形態について説明する。尚、図３中で、既に説明した実施形態と同一の構成要素については、同一の符号を付し、詳細な説明を省略する。
【００５０】
本実施形態における補償用電流発生手段７は、電流測定手段４において出力される電気信号を取得する電気信号取得手段２４と、電気信号取得手段２４により得られた電気信号のうち目的とする周波数成分を抽出する手段１４と、電気信号取得手段２４により得られた電気信号の位相および振幅を調節する手段１５，１６とを有するようにしている。
【００５１】
電流測定手段４は、例えば第１の実施形態のおいて既に説明した光検出器９を有するものである。目的とする周波数成分を抽出する手段は、例えば既に説明したローパスフィルタ１４である。電気信号の位相を調節する手段は、例えば既に説明したフェーズシフタ１５である。電気信号の振幅を調節する手段は、例えば既に説明した増幅器（アンプ）１６である。例えば本実施形態における電気信号取得手段２４は、光検出器９とローパスフィルタ１４とを電気的に接続する導線である。光検出器９は、増幅器１０に対して電気信号を出力すると共に、補償用電流発生手段７の構成要素であるローパスフィルタ１４に対しても電気信号を出力する。
【００５２】
以上のように構成される高圧電力ケーブル１の劣化診断用装置では、電流測定手段４が出力する電気信号を利用して補償用電流を生成し、ネガティブフィードバックをかける構成となる。図１に示す高圧電力ケーブル１の劣化診断用装置のように、電気信号生成手段１３を設ける必要がないので、コストや施工上で有利である。高圧電力ケーブル１を流れる高調波電流を検出する動作原理及び効果は、図１に示す高圧電力ケーブル１の劣化診断用装置と同様である。
【００５３】
次に、図４を用いて、本発明の第４の実施形態について説明する。尚、図４中で、既に説明した実施形態と同一の構成要素については、同一の符号を付し、詳細な説明を省略する。
【００５４】
本実施形態における補償用電流発生手段７は、電流測定手段４において出力される電気信号を取得する電気信号取得手段２４と、電気信号取得手段２４により得られた電気信号のうち目的とする周波数成分を抽出する手段１４と、電気信号取得手段２４により得られた電気信号の位相および振幅を調節する手段１５，１６とを有するようにしている。電流測定手段４は、例えば第２の実施形態のおいて既に説明したコイル２３を有するものである。目的とする周波数成分を抽出する手段は、例えば既に説明したローパスフィルタ１４である。電気信号の位相を調節する手段は、例えば既に説明したフェーズシフタ１５である。電気信号の振幅を調節する手段は、例えば既に説明した増幅器（アンプ）１６である。例えば本実施形態における電気信号取得手段２４は、光検出器９とローパスフィルタ１４とを電気的に接続する導線である。コイル２３は、増幅器１０に対して電気信号を出力すると共に、補償用電流発生手段７の構成要素であるローパスフィルタ１４に対しても電気信号を出力する。
【００５５】
以上のように構成される高圧電力ケーブル１の劣化診断用装置によれば、電流測定手段４が出力する電気信号を利用して補償用電流を生成し、ネガティブフィードバックをかける構成となる。図２に示す高圧電力ケーブル１の劣化診断用装置のように、電気信号生成手段１３を設ける必要がないので、コストや施工上で有利である。高圧電力ケーブル１を流れる高調波電流を検出する動作原理及び効果は、図２に示す高圧電力ケーブル１の劣化診断用装置と同様である。
【００５６】
なお、上述の実施形態は本発明の好適な実施の一例ではあるがこれに限定されるものではなく、本発明の要旨を逸脱しない範囲において種々変形実施可能である。例えば、本発明において対象となる劣化の態様は水トリーには必ずしも限らない。また、検出対象となる高調波電流は必ずしも３倍高調波電流には限らない。例えば、ファラデー効果を利用したセンサは応答周波数範囲が広いことに着目して、部分放電信号など他の劣化信号を同時に検出するようにしても良い。また、本発明において対象となる高圧電力ケーブル１は、ＣＶケーブルに必ずしも限らない。本発明は、水トリー等の劣化に起因して微弱な高調波電流を生じ得る高圧電力ケーブル１に対して適用可能である。
【図面の簡単な説明】
【００５７】
【図１】本発明の高圧電力ケーブルの劣化診断用装置の実施の一形態を示す概略構成図である。
【図２】本発明の高圧電力ケーブルの劣化診断用装置の他の実施形態を示す概略構成図である。
【図３】本発明の高圧電力ケーブルの劣化診断用装置の更に他の実施形態を示す概略構成図である。
【図４】本発明の高圧電力ケーブルの劣化診断用装置の更に他の実施形態を示す概略構成図である。
【符号の説明】
【００５８】
１  ＣＶケーブル（高圧電力ケーブル）
２  物理量検出手段
２’  鉄心（物理量検出手段）
３  零相電流成分除去手段
４  電流測定手段
５  光源
６  光ファイバ（光伝送媒体）
７  補償用電流発生手段
８，８’  補償用導線
９  光検出器（光の偏光面の回転角に基づいた電気信号を出力する手段）
１３  電気信号生成手段
１４  ローパスフィルタ（目的とする周波数成分を抽出する手段）
１５  フェーズシフタ（位相を調節する手段）
１６  アンプ（振幅を調節する手段）
２３  コイル（磁界の大きさに基づいた電気信号を出力する手段）
２４  電気信号取得手段
【図１】
0004740757.tif 000002
【図２】
0004740757.tif 000003
【図３】
0004740757.tif 000004
【図４】
0004740757.tif 000005